【事件の表示】
　特許第２８０５６７０号「地図データ表示装置」の請求項１ないし４に係る特許に対する特許異議の申立てについて、次のとおり決定する。
【結論】
　訂正を認める。
　特許第２８０５６７０号の請求項１ないし３に係る特許を維持する。
【理由】
（１）手続きの経緯
　本件特許第２８０５６７０号発明は、平成４年４月３０日に特許出願され、平成１０年７月２４日にその特許の設定登録がなされ、その後、パイオニア株式会社、及び、（有）石井興産より特許異議の申立てがなされ、取消理由通知がなされ、その指定期間内である平成１１年１０月１８日に訂正請求がなされたものである。
（２）訂正の適否についての判断
ア．訂正の内容
．特許請求の範囲に関する訂正
▲１▼訂正事項ａ
　明細書の特許請求の範囲の請求項１を、
「複数の縮尺率に対応した地図データが記録された記録媒体から地図データを読み出して表示する地図データ表示装置において、
　上記記録媒体に記録されている上記地図データの上記複数種類の縮尺率の尺度の順に表示の要素となるシンボルを配列するとともに、表示画面中の予め確保された一定の領域内に上記複数種類の縮尺率の総数に応じて上記シンボルの大きさを可変して表示し　且つ選択した縮尺率のシンボルを他のシンボルと区別して表示することを特徴とする地図データ表示装置。」と訂正するものである。
▲２▼訂正事項ｂ
　同書の特許請求の範囲の訂正前の請求項３を削除し、この請求項３の削除に伴い、訂正前の請求項４を訂正後の請求項３として、
「【請求項３】上記地図データ表示装置は車載用電源により駆動される回路構成を用いて車載用の構成とすることを特徴とする請求項１記載の地図データ表示装置。」
と訂正する。
．発明の詳細な説明に関する訂正
▲３▼訂正事項ｃ
　同書、第４頁第１３行（特許第２８０５６７０号公報、第４欄第３７行）に記載される「シンボルを配列し、選択した」を「シンボルを配列するとともに、表示画面中の予め確保された一定の領域内に上記複数種類の縮尺率の総数に応じて上記シンボルの大きさを可変して表示し、且つ選択した」と訂正する。
▲４▼訂正事項ｄ
同書、第４頁第２８行〜第５頁第１行（同公報、第５欄第４行〜第７行）に亘って記載される「また、上記シンボル…解決する。」を削除する。
▲５▼訂正事項ｅ
同書、第６頁第３行（同公報、第５欄第３８行）に記載される「ＣＤ−ＲＯＭ１１」を「ＣＤ−ＲＯＭ１０」と訂正する。
▲６▼訂正事項ｆ
同書、第７頁第１行（同公報、第６欄第２５行）、同頁第４行〜第５行（同公報、第６欄第２８行）に記載される「表示装置１８」を「表示装置１４」と訂正する。
▲７▼訂正事項ｇ
同書、第８頁第５行（同公報、第７欄第１４行）の「一部の」を「一部」と訂正する。
▲６▼訂正事項ｈ
同書、第８頁第１１行（同公報、第７欄第１９行の「ＲＡＭ１４」を「ＲＡＭ１２ｂ」と訂正する。
▲９▼訂正事項ｉ
同書、第１０頁第２４行（同公報、第９欄第４行の「ユニットまでの幅２１」を「ユニットまでの幅」と訂正する。
▲１０▼訂正事項ｊ
同書、第１０頁第２７行（同公報、第１０欄第１行の「ユニットまでの幅２２」を「ユニットまでの幅」と訂正する。
イ．訂正の目的の適否、新規事項の有無及び拡張・変更の存否
　▲１▼訂正事項ａについて、
　訂正事項ａは、訂正前の特許請求の範囲の請求項１を、実質的に訂正前の特許請求の範囲の請求項３の内容とする訂正であり、特許請求の範囲の減縮に該当する。
　▲２▼訂正事項ｂについて、
　訂正事項ｂは、請求項３の削除に伴って生じる訂正であり、特許法第１２０条の４第２項但し書き第３号に規定する不明瞭な記載の釈明に相当するものである。
　▲３▼訂正事項ｃについて、
　訂正事項ｃは、上記訂正事項ａにより明細書の特許請求の範囲を訂正したことに基づいて、課題を解決するための手段の記載を明瞭にするものであり、特許法第１２０条の４第２項ただし書き第３号に規定する「明りょうでない記載の釈明」に該当するものである。
　▲４▼訂正事項ｄについて
　訂正事項ｄは、上記訂正事項ａにより明細書の特許請求の範囲を訂正したことに基づいて、課題を解決するための手段の記載を明瞭にするものであり、特許法第１２０条の４第２項ただし書き第３号に規定する「明りょうでない記載の釈明」に該当するものである。
　▲５▼訂正事項ｅについて
　訂正事項ｅは、「ＣＤ−ＲＯＭ」の指示符号を訂正するものであり、この「ＣＤ−ＲＯＭ」は、特許明細書の第５頁第２１行及び図１の記載から明らかなように、「１０」より示されるものであり、特許法第１２０条の４第２項ただし書き第２号に規定する「誤記の訂正」を日的とするものである。
▲６▼訂正事項ｆについて
　訂正事項ｆは、「表示装置」の指示符号を訂正するものであり、この「表示装置」は、図１の記載から明らかなように、「１４」より示されるものであり、特許法第１２０条の４第２項ただし書き第２号に規定する「誤記の訂正」を目的とするものである。
▲７▼訂正事項ｇについて
　訂正事項ｇは、特許法第１２０条の４第２項ただし書き第２号に規定する「誤記の訂正」を目的とするものである。
▲８▼訂正事項ｈについて
　訂正事項ｈは、「ＲＡＭ」の指示符号を訂正するものであり、この「ＲＡＭ」は、図１の記載から明らかなように、「１２ｂ」より示されるものであり、特許法第１２０条の４第２項ただし書き第２号に規定する「誤記の訂正」を目的とするものである。
▲８▼訂正事項ｉについて
　訂正事項ｉは、「ユニットまでの幅」を示す指示符号がいずれの図面にも記載されていないことに基づいて、指示符号「２１」を削除するものであり、特許法第１２０条の４第２項ただし書き第２号に規定する「誤記の訂正」を目的とするものである。
　▲１９▼訂正事項ｊついて
　訂正事項ｊは、「ユニットまでの幅」を示す指示符号がいずれの図面にも記載されていないことに基づいて、指示符号「２２」を削除するものであり、特許法第１２０条の４第２項ただし書き第２号に規定する「誤記の訂正」を目的とするものである。
　そして、上記訂正事項ａ〜ｊは新規事項の追加に該当せず、実質的に特許請求の範囲を拡張又は変更するものではない。
ウ．独立特許要件の判断
・請求項１に係る発明について、
　本件発明に対する取消理由は、訂正前の請求項１、２、４項に対して通知されているが、訂正請求による訂正後の請求項１は、上記イ．▲１▼訂正事項ａについて、で述べたように、訂正前の請求項３の内容と実質的に同一であるから、訂正後の請求項１に対する取消理由は存在しない。
　したがって、請求項１に係る発明は特許出願の際独立して特許を受けることができない発明とすることはできない。
・請求項２、３に係る発明について、
　上記のように、訂正後の請求項１に対する取消理由が存在しない以上、請求項１の従属請求項である請求項２、３にも、取り消し理由は存在しない。
　したがって、本件請求項２、３に係る発明は特許出願の際独立して特許を受けることができない発明とすることはできない。
エ．むすび
　以上のとおりであるから、上記訂正請求は、特許法第１２０条の４第２項、及び同条第３項で準用する同法第１２６条第２項から第４項の規定に適合するので、当該訂正を認める。
（３）特許異議の申立てについての判断
ア．申立ての理由の概要
　申立人　パイオニア株式会社は、
請求項１〜４に係る発明は、甲第１号証（実願昭６３ー１６６５３９号（実開平２ー８７２６４号）のマイクロフィルム）に記載された発明から容易に発明をすることができたものであるので、特許法第２９条第２項の規定により、特許を受けることができないものであるから、特許を取り消すべきであると主張している。
　一方、申立人　（有）石井興産は、
請求項１、２、４に係る発明は、甲第１号証（特開昭６１ー１５６２７７号公報）、甲第２号証（実願昭６３ー１６６５３９号（実開平２ー８７２６４号）のマイクロフィルム）に記載された発明をもとに容易に発明をすることができたものであるので、特許法第２９条第２項の規定により、特許を受けることができないものであるから、特許を取り消すべきであると主張している。
イ．判断
・請求項１に係る発明について、
　申立人（有）石井興産の提出した甲第１号証、及び甲第２号証（申立人　パイオニア株式会社の提出した甲第１号証）のいずれにも、請求項１に係る発明の構成要件である、「表示画面中の予め確保された一定の領域内に上記複数種類の縮尺率の総数に応じて上記シンボルの大きさを可変して表示」する構成について、記載されていない。
　すなわち、申立人（有）石井興産の提出した甲第１号証には、縮尺率の異なる地図データの数に対応した縮尺目盛を縮尺順に配列し、且つ選択した縮尺率を他の縮尺率表示と区別して表示する技術が開示されているが、請求項１に係る発明の如く、「複数種類の縮尺率の総数に応じて上記シンボルの大きさを可変して表示」する構成を有しない。
　また、甲第２号証には、「地図データの縮尺レベルは・・・地域によって準備されている縮尺レベルの数に違いがある。」（公報第４頁第７行〜第１０行）とし、この縮尺レベルの違いに対応すべく、表示装置上に縮尺率の異なる地図データの数に対応した縮尺レベル表示を縮尺レベル順に配列し、且つ選択した縮尺レベルを他の縮尺レベルと区別して表示する技術が開示されているが、甲第１号証と同様に請求項１に係る発明の上記構成を有するものではない。
　なお、申立人　パイオニア株式会社は、甲第２号証には請求項１に係る発明の上記構成について記載されていないことを認めた上で、「しかしながら、画像表示の分野、例えば捧グラフ表示等では、項目数により棒の幅を変化させることは至極当然として行われていることである。つまり、グラフ表示エリアが一定の大きさであるとき、捧グラフの項目数を増やせば捧グラフ１本あたりの幅は小さくなるし、捧グラフの項目数を減らせば１本あたりの捧グラフの幅は大きくなる。
　すなわち、グラフ表示の分野では「表示画面中の予め確保された一定の領域内に上記複数種類の項目数の総数に応じて捧グラフの大きさを可変して表示すること」は周知である。」とし、請求項１に係る発明は、甲第２号証及び該周知事項から容易に発明をすることが出来た旨、主張している。
　しかしながら、甲第２号証のものは、異なる縮尺レベル毎に地図データを記憶してあるＣＤ−ＲＯＭ中の、「地域によって準備されている縮尺レベルの数に違いがある」ことに対応すべく、表示装置上に縮尺率の異なる地図データの数に対応した縮尺レベル表示を縮尺レベル順に配列し、且つ選択した縮尺レベルを他の縮尺レベルと区別して表示するようにしたものであり、縮尺レベルも、甲第２号証の実施例に見られる如く１０〜１２とその変動幅が小さいものを対象にしている。
　これに対し、請求項１に係る発明は、「地図データを記録するＣＤ−ＲＯＭ等は階層が数多く有しているものから２、３の階層しか有していない廉価なものまで各種のＣＤ−ＲＯＭがある。」（公報第２頁第４欄第６行〜第９行）という認識の下に、これらの異なるＣＤ−ＲＯＭに対応するために、上記構成を採用したものである。
　したがって、申立人　パイオニア株式会社が主張するように、グラフ表示の分野で「表示画面中の予め確保された一定の領域内に上記複数種類の項目数の総数に応じて捧グラフの大きさを可変して表示すること」が周知であるとしても、そもそも縮尺レベルの変動幅が小さく、複数種類の縮尺率の総数に応じて上記シンボルの大きさを可変して表示する必要性のない甲第２号証のものに、上記周知事項を適用する必然性は見いだし得ないから、申立人　パイオニア株式会社の上記主張は採用し得ない。
・請求項２〜３に係る発明について、
　請求項２〜３に係る発明についての判断も、請求項１に係る発明と同様である。
ウ．むすび
　以上の通り、本件請求項１〜３に係る発明が上記甲各号証のものから容易に発明をすることができたものとすることはできない。
　また、他に本件請求項１〜３に係る特許を取り消すべき理由を発見しない。
　よって、結論のとおり決定する。
【異議決定日】
平成１１年１２月２０日（１９９９．１２．２０）
【訂正の要旨】
訂正の要旨
明細書（特許第２８０５６７０号明細書、以下同じ）を本件訂正請求書に添付された訂正明細書のとおり、すなわち特許請求の範囲の減縮を目的として下記のとおり、また、明瞭でない記載の釈明を目的として、また、誤記の訂正を目的として、下記のとおり訂正する。
（１）明細書の特許請求の範囲の請求項１において、
▲１▼訂正事項ａ
　「複数の縮尺率に対応した地図データが記録された記録媒体から地図データを読み出して表示する地図データ表示装置において、
上記記録媒体に記録されている上記地図データの上記複数種類の縮尺率の尺度の順に表示の要素となるシンボルを配列し、選択した縮尺率のシンボルを他のシンボルと区別して表示することを特徴とする地図データ表示装置。」を、
　「複数の縮尺率に対応した地図データが記録された記録媒体から地図データを読み出して表示する地図データ表示装置において、
　上記記録媒体に記録されている上記地図データの上記複数種類の縮尺率の尺度の順に表示の要素となるシンボルを配列するとともに、表示画面中の予め確保された一定の領域内に上記複数種類の縮尺率の総数に応じて上記シンボルの大きさを可変して表示し且つ選択した縮尺率のシンボルを他のシンボルと区別して表示することを特徴とする地図データ表示装置。」と訂正する。
（２）明細書の特許請求の範囲の請求項３において、
▲２▼訂正事項ｂ
　同書の特許請求の範囲の訂正前の請求項３を削除し、この請求項３の削除に伴い、訂正前の請求項４を訂正後の請求項３として、
「【請求項３】上記地図データ表示装置は車載用電源により駆動される回路構成を用いて車載用の構成とすることを特徴とする請求項１記載の地図データ表示装置。」
と訂正する。
（３）発明の詳細な説明に関して、
▲３▼訂正事項ｃ
　同書、第４頁第１３行（特許第２８０５６７０号公報、第４欄第３７行）に記載される「シンボルを配列し、選択した」を「シンボルを配列するとともに、表示画面中の予め確保された一定の領域内に上記複数種類の縮尺率の総数に応じて上記シンボルの大きさを可変して表示し、且つ選択した」と訂正する。
▲４▼訂正事項ｄ
同書、第４頁第２８行〜第５頁第１行（同公報、第５欄第４行〜第７行）に亘って記載される「また、上記シンボル…解決する。」を削除する。
▲５▼訂正事項ｅ
同書、第６頁第３行（同公報、第５欄第３８行）に記載される「ＣＤ−ＲＯＭ１１」を「ＣＤ−ＲＯＭ１０」と訂正する。
▲６▼訂正事項ｆ
同書、第７頁第１行（同公報、第６欄第２５行）、同頁第４行〜第５行（同公報、第６欄第２８行）に記載される「表示装置１８」を「表示装置１４」と訂正する。
▲７▼訂正事項ｇ
同書、第８頁第５行（同公報、第７欄第１４行）の「一部の」を「一部」と訂正する。
▲６▼訂正事項ｈ
同書、第８頁第１１行（同公報、第７欄第１９行の「ＲＡＭ１４」を「ＲＡＭ１２ｂ」と訂正する。
▲９▼訂正事項ｉ
同書、第１０頁第２４行（同公報、第９欄第４行の「ユニットまでの幅２１」を「ユニットまでの幅」と訂正する。
▲１０▼訂正事項ｊ
同書、第１０頁第２７行（同公報、第１０欄第１行の「ユニットまでの幅２２」を「ユニットまでの幅」と訂正する。
（５４）【発明の名称】
地図データ表示装置
（５７）【特許請求の範囲】
　【請求項１】　複数の縮尺率に対応した地図データが記録された記録媒体から地図データを読み出して表示する地図データ表示装置において、
　上記記録媒体に記録されている上記地図データの上記複数種類の縮尺率の尺度の順に表示の要素となるシンボルを
配列するとともに、表示画面中の予め確保された一定の領域内に上記複数種類の縮尺率の総数に応じて上記シンボルの大きさを可変して表示し、且つ
　【請求項２】　上記シンボルは、上記記録媒体に記録された複数種類の縮尺率の総数に応じた数のシンボルを画面表示することを特徴とする請求項１記載の地図データ表示装置。
　【請求項３】　上記地図データ表示装置は車載用電源により駆動される回路構成を用いて車載用の構成とすることを特徴とする請求項１記載の地図データ表示装置。
【発明の詳細な説明】
　【０００１】
　【産業上の利用分野】
　本発明は、複数の縮尺率に対応した地図データが記録された記録媒体から選択に応じて地図データを読み出して表示する地図データ表示装置に関する。
　【０００２】
　【従来の技術】
　ナビゲーションシステムは、例えば記録媒体であるＣＤ−ＲＯＭに記録された地図データを読み出し、例えば車速及び進行方向等の位置情報を車載したハードウェア機器を介して検出し、これらの情報を合成して表示装置に表示させている。上記ハードウェア機器を用いて現在の位置に関する情報を得る方法も各種検討され、実施されている。
　【０００３】
　このナビゲーションシステムようなハードウェアを通して見る地図は、ハードウェアに依存する表示分解能しか持っていない。従って、一画面内で同時に見ることが可能な範囲とこの範囲内に表現可能な対象物等との関係はかなり限定されてしまう。
　【０００４】
　一方、ユーザは地図の用途に応じた地図の分解能を要求する。この要求に答えるため単に縮尺を可変させて表示することは、例えば始めから詳細な地図データを記録媒体に記録しておきハードウェア側を工夫して表示させるだけで可能である。しかしながら、ユーザのさらに高い要求に答えるため、ソフトウェア側の対応が必要である。ソフトウェアの必要性を加味してハードウェアを通して見る地図は、一画面に表示される範囲の広さに対応した同じ地域を記述した地図データを複数組持つようにしている。このように複数組の地図データを持つことを地図の階層化と呼んでいる。この地図の階層化に対応して地図の縮尺も複数の種類が存在する。
　【０００５】
　ある地域の地図を表示する場合、現在の表示している地図が階層化した地図においてどの縮尺レベルを表示しているか示す必要が生じる。この縮尺レベルの階層を示す方法がいくつか提案されている。
　第１の方法は、記録媒体に記録された粗い記述ながらより広い地域を一望するための縮尺レベルの階層の地図データから狭い地域を詳細に記述した地図データの階層への縮尺レベルの表示を相対的なものとして扱って画面上に表示する方法である。例えば、ある階層を境界にしてこの階層より上の階層を表示している場合、画面上に“広域”と表示し、この階層以下の階層を表示している場合、画面上に“詳細”と表示する。
　【０００６】
　第２の方法には、特に画面上に地図データを表示している縮尺レベル（階層レベル）を表示せずに操作上で指定した縮尺が存在しなければ、単にエラーメッセージを表示するものがある。
　【０００７】
　また、第３の方法は、画面の外に専用の表示装置を設けて表示している地図の階層をハイライト表示して示している。図６に示す専用の表示装置は、例えば最大３０個の縮尺レベルの階層の内現在使用しているＣＤ−ＲＯＭが６つの階層を有し、さらにこれらの６つの階層中で表示装置が現在表示している階層レベルがどこか示すことができる。このようにハードウェアで固定した数の階層を表示している。
　【０００８】
　【発明が解決しようとする課題】
　ところで、上述した第１の方法及び第２の方法は記録媒体が有する全階層中における現在の階層がどこか正確に知ることができない。また、階層を１ステップ以上移動させたり、あるいは選択した階層に現在の階層から直接的にジャンプする等の操作が困難である。
　【０００９】
　また、第３の方法は専用のハードウェアを用いていることにより、表示できる階層数が限定されてしまう。
　【００１０】
　ところが、地図データを記録するＣＤ−ＲＯＭ等は階層が数多く有しているものから２、３の階層しか有していない廉価なものまで各種のＣＤ−ＲＯＭがある。これらの各種のＣＤ−ＲＯＭすべてに対応させて現在の階層を示す場合、固定ユニットに各ＣＤ−ＲＯＭの中の最大の階層数を考慮して階層レベルを示す階層レベルバーを設けると、使用しない階層レベルバーの領域が生じてしまい、無駄になってしまう。
　【００１１】
　実際、図６に示すように最大階層数は、上述したようにフォーマットの設定によって３０層と決まっている。ハードウェアとして固定ユニットに３０層を設けても例えば６つの階層しか有していないＣＤ−ＲＯＭの現在の階層を示すと、使用される階層は下から６番目の階層までの領域Ａしか使用されず、使用しない階層レベルバーが領域Ｂで示す２４層も生じてしまう。このような固定ユニットによる階層の表示では、フォーマットに加えて縮尺レベルの階層数まで規定する必要が生じることによってＣＤ−ＲＯＭの互換性が損なわれてしまう。
　【００１２】
　そこで、本発明は、このような実情に鑑みてなされたものであり、それぞれの記録媒体に記録されている情報を表示する際に柔軟に対応して上記情報の表示の互換性が損なわれないように読み出した情報を表示させることができる地図データ表示装置の提供を目的とする。
　【００１３】
　【課題を解決するための手段】
　本発明は、複数の縮尺率に対応した地図データが記録された記録媒体から地図データを読み出して表示する地図データ表示装置において、上記記録媒体に記録されている上記地図データの上記複数種類の縮尺率の尺度の順に表示の要素となるシンボルを
配列するとともに、表示画面中の予め確保された一定の領域内に上記複数種類の縮尺率の総数に応じて上記シンボルの大きさを可変して表示し、且つ
　【００１４】
　ここで、地図データ表示装置は、読み出した情報をデータ処理するデータ処理手段を介したデータをグラフィック表示手段による表示制御を行うことにより、２次元的に表示画面内にシンボルを表示する。また、地図データ表示装置は、この表示で選択する階層の位置を明確に表示するためキー操作に応じて選択するシンボルの位置を移動させると共に、他のシンボルと区別するため選択するシンボルをハイライト表示させる。このハイライト表示はカーソル的に移動させることができる。この表示により、ユーザは記録媒体中の階層における相対的なシンボルの位置を知る。
　【００１５】
　上記シンボルは、上記記録媒体に記録された複数種類の縮尺率の総数に応じた数のシンボルを画面表示することにより、上述の課題を解決する。
　【００１６】
　【００１７】
　さらに、上記地図データ表示装置は車載用電源により駆動される回路構成を用いて車載用の構成とすることにより、上述の課題を解決する。
　【００１８】
　【作用】
　本発明の地図データ表示装置は、シンボルの表示領域として予め一定の領域内に上記記録媒体に記録された縮尺率の個数に応じてシンボルの大きさをソフトウェア的に可変させながら縮尺率を尺度の順に表示の要素となるシンボルを配列し、選択する縮尺率のシンボルを他のシンボルと区別して表示する。
　【００１９】
　また、地図データ表示装置は、車載用電源により駆動される回路構成を用いて車載用の構成として車載することができる。
　【００２０】
　【実施例】
　以下、本発明に係る地図データ表示装置の一実施例について、図面を参照しながら説明する。
　【００２１】
　本発明に係る地図データ表示装置について、図１に示す概略的な機能ブロック構成を参照しながら説明する。ここで、地図データは大量のディジタルデータとして有することのできる光ディスク、例えばＣＤ−ＲＯＭ１０に書き込まれている。
　【００２２】
　地図データ表示装置は、記録媒体に記録している情報を読み出すデータ読出手段であるデータ読出部１１と、該データ読出部１１からの情報を基にして処理を施すデータ処理手段であるデータ処理部１２と、該データ処理部１２からの表示データを制御する表示制御手段であるグラフィック制御部１３と、該グラフィク制御部１３からの出力信号を表示する表示手段である表示装置１４とで構成している。
　【００２３】
　この回路構成に基づく動作は、以下に説明する通りである。図１に示す
ＣＤ−ＲＯＭ１０
　【００２４】
　上記データ処理部１２は、地図データ表示装置を制御するＭＰＵ１２ａと、読み出された情報を一時的に格納しておくＲＡＭ１２ｂと、画像データを作成するデータ処理手順等が書き込まれたＲＯＭ１２ｃとで構成している。
　【００２５】
　このＭＰＵ１２ａは、入力情報をＲＡＭ１２ｂに供給して書き込むように制御している。また、ＲＡＭ１２ｂは、ＭＰＵ１２ｂからの読出信号に応じて再び読み出される。ＭＰＵ１２ｂは、ＲＯＭ１２ｃに制御信号を供給して例えばこの地図データ表示装置の表示動作の制御処理プログラムが書き込まれているから、処理プログラムに応じた表示データの作成等を行っている。この他ＲＯＭ１２ｃは地図データ表示装置の全般にわたる制御手順が書き込まれている。
　【００２６】
　このＲＯＭ１２ｃのプログラム及びＭＰＵ１２ａの制御に応じてＣＤ−ＲＯＭ１０から読み出して地図の表示を行う上で必要なデータ処理が施された地図データは、グラフィック制御部１３に送る。このグラフィック制御部１３は、ＧＤＣ（グラフィック表示コントローラ：以下ＧＤＣと略す）１３ａ及びＶ−ＲＡＭ（ビデオＲＡＭ：以下Ｖ−ＲＡＭと略す）１３ｂで構成している。グラフィック制御部１３に供給された地図データは、ＧＤＣ１３ａの制御に応じてＶ−ＲＡＭ１３ｂに送られて一時的にこの地図データが格納される。このようにＶ−ＲＡＭ１３ｂに地図データを格納することにより
表示装置１４
　【００２７】
　読み出した画像データ等の情報は、図示しない操作部の操作に応じて
表示装置１４
　【００２８】
　また、この地図データ表示装置は、地図データ表示装置をリセットした後、またはＣＤ−ＲＯＭ１０の交換後に各種の情報の読み取りを行っている。地図データ表示装置は、このとき例えばＣＤ−ＲＯＭ１０のＴＯＣ（目次テーブル：以下ＴＯＣと略す）領域を読む。このＴＯＣ情報には記録媒体に書き込まれている複数種類の地図の縮尺総数が記録されている。この地図の縮尺総数をＮｍａｘとしてＲＡＭ１２ｂに記憶する。
　【００２９】
　このＲＡＭ１２ｂに記憶した地図の縮尺の総数Ｎｍａｘは、ＲＯＭ１２ｃに内蔵する画面表示プログラムのデータとして用いる。ＭＰＵ１２ａは、画面表示プログラムに応じた縮尺率のレベルを示す、いわゆる「縮尺バー」を予め設定した領域内に表示するためのパラメータを演算処理している。また、地図データ表示装置は実際の縮尺バーが示している縮尺レベルがどこの縮尺レベルにあるか容易に視認するため、現在表示中に対応する縮尺レベルをハイライト表示している。このハイライト表示させるため、現在表示中すなわち選択された縮尺レベルは、変数ｎを用いて表す。
　【００３０】
　地図データ表示装置において、動作開始時の地図データ表示は例えば最も広い領域を表示させる。ここで、広域を表示できる縮尺レベルほど変数ｎの値は大きい。このため、上記変数ｎの初期値はＮｍａｘに設定されている。この初期画面の表示後、ユーザは操作パネル上の縮尺レベルを選択する縮尺レベル選択キーを例えばアップダウンさせて変数ｎを変更する。このようにＣＤ−ＲＯＭ１０に含まれる縮尺総数を表示すると共に、縮尺レベル選択キーの操作に応じて表示中の縮尺レベルを知ることができるとユーザの操作性を著しく向上させることができる。
　【００３１】
　上述した地図データの階層、すなわち縮尺レベルを表示させる手順を図２に示すフローチャートを参照しながら説明する。また必要に応じて図１を参照する。
　この縮尺レベルを表示は、地図データ表示するルーチンの
一部である
　【００３２】
　ステップＳ１０でセットしたＣＤ−ＲＯＭ１０からディジタルデータを読み出す。
　ステップＳ１１でＣＤ−ＲＯＭ１０に書き込まれているＴＯＣ情報も読み出し
ＲＡＭ１２ｂ
　【００３３】
　ステップＳ１２では初期における画像表示する縮尺レベルを変数Ｎｉｎｉｔを用いて表し、例えば変数Ｎｉｎｉｔを階層の総数値であるＮｍａｘを設定する。また、実際に表示する階層を示す変数ｎにＮｉｎｉｔの値を代入して図示しないが画面表示ルーチンを経て初期画面を表示する。
　【００３４】
　次に、ステップＳ１３で縮尺レベル選択キーが押圧操作されたかどうかに応じて以降の表示動作を変更する。この縮尺レベル選択キーの押圧操作が行われなかった（Ｎｏ）場合、ステップＳ１３に戻る。また、縮尺レベル選択キーの押圧操作が行われた（Ｙｅｓ）場合、ステップＳ１４に進む。
　このステップＳ１３は、縮尺レベル選択キーが押圧操作に応じて割込がかけられるようにさせてステップＳ１４に進ませてもよい。
　【００３５】
　ステップＳ１４で縮尺レベル選択キーのユーザの操作が縮尺レベルの階層を上げる方向に操作されたものか、下げる方向に操作されたものかの判別を行っている。表示する階層を上げる方向に操作したと判別したとき、ステップＳ１５に進む。一方、表示する階層を下げる方向に操作したと判別したとき、ステップＳ１７に進む。
　【００３６】
　ステップＳ１５では、階層を上げる前の変数ｎの値が総数Ｎｍａｘより小さいかどうかの判別を行っている。変数ｎの値が総数Ｎｍａｘ以上の大きな値になっている場合、例えば表示可能な最大の広域を表示するように制御すると共に、この表示及び縮尺レベル表示について何らの変更も行わずにステップＳ１３に戻す。また、変数ｎの値が総数Ｎｍａｘより小さい場合ステップＳ１６に進む。
　【００３７】
　ステップＳ１６では上記変数ｎの値を＋１だけ歩進させて変数ｎの値を入れ換えてサブルーチンＳＵＢに進む。
　【００３８】
　表示する階層を下げる方向に操作したステップＳ１７では、階層を下げる前の変数ｎの値がＣＤ−ＲＯＭ１０の最下層（ｎ＝１）以下の小さな値になっている場合、例えば表示中のＣＤ−ＲＯＭ１０において最も詳細な地図データを表示するように制御すると共に、この表示及び縮尺レベル表示について何らの変更も行わずにステップＳ１３に戻す。また、変数ｎの値が１より大きい場合ステップＳ１８に進む。
　【００３９】
　ステップＳ１８では上記変数ｎの値を−１だけ減小させて変数ｎの値を入れ換えてサブルーチンＳＵＢに進む。
　【００４０】
　サブルーチンＳＵＢは、変更された変数ｎの値に応じた表示変更を行う。この表示変更に応じて少なくとも縮尺レベルの表示におけるハイライト表示位置を変更して表示する。この表示が終了したならばステップＳ１３に戻って次の縮尺レベル選択キーの操作が行われるまで待機する。
　【００４１】
　この表示画面上に縮尺レベルの表示を行った一例を図３に示す。図３に示す表示画面１５は、画面右下に予め一定の確保した領域１６を設けている。この領域１６内にＣＤ−ＲＯＭ１０に記録されている階層数に応じた表示の要素となるシンボルが表示される。現在、地図データ表示装置が読んでいるＣＤ−ＲＯＭ１０は縮尺レベルを８階層有するものであることが容易に判る。また、この階層の位置を表示するモードでは、現在ハイライト表示している最下位の階層から２つ上の階層Ｓ３を選択中、または、選択しようとしている階層をカーソル的に表示している。このように表示すると、上述したように８階層中の相対位置を知ることが視覚的に容易に判別することができる。また、最下位の階層の縮尺レベルの具体的な縮尺率が既知のとき、例えば上記階層Ｓ３の縮尺率も知ることができる。
　【００４２】
　この地図データ表示装置におけるシンボル表示を制御する手順について図４に示すフローチャートを参照しながら説明する。また、これらのシンボル表示制御を説明するために図５に示す模式図を参照する。
　【００４３】
　この地図データ表示装置におけるシンボル表示領域は、予め領域を設定している。この表示領域が図５に示す表示領域２０である。この表示領域２０内に階層を示すいわゆる縮尺レベルバーを表示する。
　【００４４】
　表示処理の開始と共に、ステップＳ２０に進み、ＣＤ−ＲＯＭ１０に記録している縮尺レベルの階層総数Ｎｍａｘを読み出す。この階層表示に用いられる縮尺レベルバーは１つのユニット（以下ユニットと呼ぶ）として扱う。
　【００４５】
　ステップＳ２０では読み出した階層総数Ｎｍａｘから各ユニット問のピッチＰを計算する。この計算において図４に示す階層表示する領域の一方の全長をＬとする。また、再生しているＣＤ−ＲＯＭ１０の階層表示領域２０の上端２０ａからの最上位の階層、すなわち最も広い領域を表示するレベルのユニットまでの
幅を
　【００４６】
　階層総数Ｎｍａｘから各ユニット間のピッチＰの個数が、Ｎｍａｘ−１で表されることは明らかである。従って、上記マージン分を引いた有効長を（Ｎｍａｘ−１）分割することにより、ピッチＰは、
　Ｐ＝｛Ｌ−（ＭＵ＋ＭＤ）｝／（Ｎｍａｘ−１）　・・・（１）
で求めることができる。このピッチＰを求めてステップＳ２１に進む。
　【００４７】
　ステップＳ２１では有効長におけるピッチＰから図５に示すユニットサイズｈを求める。このユニットサイズｈの条件は、少なくとも上記ピッチＰより小さいもの（ｈ＜Ｐ）が好ましい。
　例えばユニットサイズｈは、
　ｈ＝Ｐ／２　・・・（２）
に設定してユニットの幅を表す。このユニットサイズｈを設定してステップＳ２２に進む。
　【００４８】
　ステップＳ２２ではステップＳ２０及びステップＳ２１で求めたパラメータを基にして表示領域２０内に各階層を示すユニット表示のための描画データを作成する。図５に示すように表示領域２０内に例えば最下位のユニット１から最上位のユニットＮｍａｘま
での描画データを作成し、この作成終了後、ステップＳ２３に進む。
　【００４９】
　ステップＳ２３では、縮尺レベル選択キーで指定された縮尺に対応するユニット２１を前述した手順から求める。
　【００５０】
　ステップＳ２４ではステップＳ２３で指定されたユニットの描画データに対してハイライト表示させるためのデータを追加する。
　ステップＳ２５では、前述までの手順で作成された描画データを例えば図１に示したＶ−ＲＡＭ１３ｂに供給し、描画処理を行う。また、Ｖ−ＲＡＭ１３ｂからのデータを表示装置１４に供給して表示する。
　【００５１】
　表示装置１４への描画データを出力させてこの表示処理の手順を終了する。
　【００５２】
　このように構成することにより、表示している地図の縮尺レベルが使用している記録媒体の有する総数の中で相対的な縮尺レベルとしてどこのレベルにあるかを視覚的に瞬時にとらえることができ、大幅な縮尺レベルの変更を行うことも容易になる。この縮尺レベルの最上位、あるいは最下位のレベルの縮尺が明らかな場合、絶対的な縮尺レベルも知ることができる。
　【００５３】
　また、いわゆる縮尺レベルバーの表示がユニット数が変化しても対応して表示領域内に表示させることができる。このことにより、ハードウェアによる固定ユニットを使用した際に情報の表示においてこの情報の互換性を保つために生じた無駄な表示領域をなくして記録媒体が有する縮尺を有効にシンボル表示することができる。換言すれば、画面の有効な利用を図ることができ、記録媒体が代わっても柔軟に対応してすぐに縮尺率の数及び表示している縮尺レベルも知ることができる。
　【００５４】
　また、ユーザは、上記地図データ表示装置の小型化を図って車載可能にすることにより、目的の場所を探す上で所望の縮尺レベルの地図データの表示を効率的に行うことができるようになる。
　【００５５】
　【発明の効果】
　以上の説明からも明らかなように、本発明の地図データ表示装置によれば、複数の縮尺率に対応した地図データが記録された記録媒体から地図データを読み出して表示する地図データ表示装置において、上記記録媒体に記録されている上記地図データの上記複数種類の縮尺率の尺度の順に表示の要素となるシンボルを配列し、選択した縮尺率のシンボルを他のシンボルと区別して表示することにより、表示している地図の縮尺レベルが使用している記録媒体の有する総数の中で相対的な縮尺レベルとしてどこのレベルにあるかを視覚的に瞬時にとらえることができ、大幅な縮尺レベルの変更を行うことも容易になる。また、縮尺レベルの最上位、あるいは最下位のレベルの縮尺が明らかな場合、絶対的な縮尺レベルも知ることができる。この地図データ表示装置の小型化を図って車載可能にすれば、目的の
場所の
　【００５６】
　地図データ表示装置の上記シンボルは、上記記録媒体に記録された複数種類の縮尺率の総数に応じた数のシンボルを画面表示することにより、ハードウェアによる固定ユニットを使用して情報、すなわち階層の情報の表示において、情報の互換性を保つため最大の階層数を予め設けて、この最大階層数より低い階層数しか含まない記録媒体を再生したときに生じる無駄な表示領域をなくして記録媒体が有する縮尺を有効にシンボル表示することができる。
　【００５７】
　また、上記シンボルは、表示画面中の予め確保された一定の領域内に上記複数種類の縮尺率の総数に応じてシンボルの大きさを可変して表示することにより、上述したハードウェアによる固定ユニットで生じた無駄な表示をなくすと共に、予め確保した領域の画面の有効な利用を図ることができ、記録媒体が代わっても柔軟に対応してすぐに縮尺率の数及び表示している縮尺レベルも知ることができる。
　【００５８】
　さらに、上記地図データ表示装置は車載用電源により駆動される回路構成を用いて車載用の構成とすることにより、目的の場所を探す上で所望の縮尺レベルの地図データの表示を効率的に行うことができる。
【図面の簡単な説明】
　【図１】
　本発明に係る地図データ表示装置における一実施例の概略的なブロック構成を示す図である。
　【図２】
　図１に示した概略的なブロック構成を用いて縮尺レベルの表示を変更するための手順を説明するフローチャートである。
　【図３】
　図２に示したフローチャートに沿って表示制御を行った場合の表示画面の一例を示す模式図である。
　【図４】
　予め設定された表示領域にソフトウェア的に階層を示すユニットを表示するための手順を説明するフローチャートである。
　【図５】
　図３に示す手順に沿って予め設定された表示領域にソフトウェア的に階層を示すユニットを表示させるために必要な各パラメータの関係を示す模式図である。
　【図６】
　従来の縮尺レベル表示をハードウェアによって構成した固定ユニットによる表示の一例を示す模式図である。
　【符号の説明】
　１０・・・・・・・・・・ＣＤ−ＲＯＭ
　１１・・・・・・・・・・データ読出部
　１２・・・・・・・・・・データ処理部
　１３・・・・・・・・・・グラフィック制御部
　１４・・・・・・・・・・表示装置